(57)【特許請求の範囲】
【請求項１】
撃針および施錠機構を有する火器であって、
施錠解除位置と施錠確定位置との間で回転可能なロックボタンであって、該施錠解除位置では該ロックボタンが該撃針の移動を可能にし、該施錠確定位置では該ロックボタンが該撃針の移動を防止する、ロックボタンを備え、
該ロックボタンは、長手方向の軸と、表面と、第１の端部および第２の端部と、
ｉ．該ロックボタンの長手方向の軸に沿って形成された施錠孔であって、該ロックボタンの該第１の端部に形成された雌側受入端部を備える施錠孔と、
ｉｉ．該ロックボタンの該第１の端部と該第２の端部との間の該ロックボタンの該表面に形成されたノッチと、
ｉｉｉ．該ロックボタンの該第１の端部と該第２の端部との間の該ロックボタンの該表面に形成されたプランジャー孔と
を備え、
該施錠機構は、戻り止めプランジャーと、該ロックボタンの該施錠孔の該雌側受入端部に挿入される施錠手段とをさらに備え、
該プランジャー孔は該施錠孔に接続され、
該撃針はノッチを有しており、該撃針のノッチは、該ロックボタンが該施錠確定位置にある場合には該ロックボタンと係合することによって該撃針の移動を防止するように構成されており、該ロックボタンのノッチは、該ロックボタンが該施錠解除位置にある場合には該撃針の移動を可能にするように構成されている、撃針および施錠機構を有する火器。
【請求項２】
前記プランジャー孔は、前記ロックボタンの長手方向の軸に対して実質的に横軸方向に該ロックボタンの中心軸に向かって伸び、前記長手方向の施錠孔と接続する、請求項１に記載の施錠機構を有する火器。
【請求項３】
前記施錠手段は、前記雌側受入端部に挿入される時に前記プランジャー孔と相互作用するように適合される、請求項１に記載の施錠機構を有する火器。
【請求項４】
前記戻り止めプランジャーは、バネによって前記ロックボタンに向かって押される、請求項１に記載の施錠機構を有する火器。
【請求項５】
前記ロックボタンの一方の端部上に形成された回転位置インジケータをさらに備える、請求項１に記載の施錠機構を有する火器。
【請求項６】
前記施錠手段は鍵である、請求項１に記載の施錠機構を有する火器。
【請求項７】
前記鍵の断面構成は、実質的に「Ｊ」字型の形状である、請求項６に記載の施錠機構を有する火器。
【請求項８】
前記施錠手段は、前記鍵が前記施錠孔に挿入された時に前記戻り止めプランジャーを前記ロックボタンから離すように適合された鍵である、請求項１に記載の施錠機構を有する火器。
【請求項９】
前記施錠手段は、該施錠手段が前記雌側受入端部に完全に挿入された場合のみに前記プランジャー孔と相互作用するように適合される、請求項８に記載の施錠機構を有する火器。
【請求項１０】
前記ロックボタンは、少なくとも１つの長手方向スロットをさらに備え、前記撃針は、該撃針が移動するのを防ぐために、該少なくとも１つのスロットと相互作用するように適合されたタブをさらに備える、請求項１に記載の施錠機構を有する火器。
【請求項１１】
前記ロックボタンは、２つの平行な長手方向のスロットを備え、前記撃針は、該撃針が移動するのを防ぐために、該スロットのいずれかと相互作用するように適合されたタブをさらに備える、請求項１０に記載の施錠機構を有する火器。
【請求項１２】
手動式の遊底のある火器であって、
中空のボルト本体と、ボルトハンドルと、ボルトプラグと、撃針と、該ボルト本体内の撃針バネとを備えるボルトアセンブリと、
長手方向の軸と、表面と、第１の端部および第２の端部とを有するロックボタンを備える施錠機構であって、
ｉ．該ロックボタンの長手方向の軸に沿って形成された施錠孔であって、該ロックボタンの該第１の端部に形成された雌側受入端部を備える施錠孔と、
ｉｉ．該ロックボタンの該第１の端部と該第２の端部との間の該ロックボタンの該表面に形成されたノッチと、
ｉｉｉ．該ロックボタンの該第１の端部と該第２の端部との間の該ロックボタンの該表面に形成され、該施錠孔に接続されたプランジャー孔と
を備える施錠機構と
を備え、
該施錠機構は、戻り止めプランジャーと、該ロックボタンの該施錠孔の該雌側受入端部に挿入される施錠手段とをさらに備え、
該ロックボタンは、施錠確定位置と施錠解除位置との間で移動することができ、
該撃針はノッチを有しており、該撃針のノッチは、該ロックボタンが該施錠確定位置にある場合には該ロックボタンと係合することによって該撃針の移動を防止するように構成されており、該ロックボタンのノッチは、該ロックボタンが該施錠解除位置にある場合には該撃針の移動を可能にするように構成されている、手動式の遊底のある火器。
【請求項１３】
前記施錠機構は、前記ボルトアセンブリ内に位置決めされる、請求項１２に記載の火器。
【請求項１４】
前記施錠機構は、前記ボルトプラグ内に位置決めされる、請求項１３に記載の火器。
【請求項１５】
受入器をさらに備え、前記ボルトアセンブリは、移動可能な状態で取り付けられ、前記施錠機構は該受入器内に位置決めされ、前記ロックボタンは、前記ロックボタンが前記施錠確定位置に来たときに該ボルトアセンブリと接触して、該ボルトアセンブリが移動するのを防止するように位置決めされ、該ロックボタンは、該ロックボタンが施錠解除位置に来たときに該ボルトアセンブリが移動するのを可能にするように位置決めされる、請求項１２に記載の火器。
【請求項１６】
受入器をさらに備え、前記ボルトアセンブリは、移動可能な状態で取り付けられ、前記施錠機構は該受入器内に位置決めされ、前記ロックボタンは、該ロックボタンが施錠確定位置に来たときに該ボルトアセンブリおよび前記撃針と接触して、該ボルトアセンブリおよび該撃針が移動するのを防ぐように位置決めされ、該ロックボタンは、該ロックボタンが前記施錠解除位置に来たときに該ボルトアセンブリおよび該撃針が移動することができるように位置決めされる、請求項１２に記載の火器。
【請求項１７】
前記ロックボタンは、自身の内部に形成された少なくとも１つの長手方向のスロットをさらに備え、前記撃針は、該撃針が移動するのを防ぐために、該少なくとも１つのスロットと相互作用するように適合されたタブをさらに備える、請求項１２に記載の火器。
【請求項１８】
前記ロックボタンは、２つの平行な長手方向のスロットを備え、前記撃針は、該撃針が移動するのを防ぐために、該スロットのいずれかと相互作用するように適合されたタブをさらに備える、請求項１７に記載の火器。
【請求項１９】
撃針および施錠機構を有する火器であって、
Ａ．長手方向の軸と、表面と、第１の端部および第２の端部とを有するロックボタンであって、
ｉ．該ロックボタンの長手方向の軸に沿って形成された施錠孔であって、該ロックボタンの該第１の端部に形成された雌側受入端部を備える施錠孔と、
ｉｉ．該ロックボタンの該第１の端部と該第２の端部との間の該ロックボタンの該表面に形成されたノッチと、
ｉｉｉ．該ロックボタンの該第１の端部と該第２の端部との間の該ロックボタンの該表面に形成されたプランジャー孔であって、該ロックボタンの長手方向の軸に対して実質的に横方向に該ロックボタンの中心軸に向かって伸び、該実質的に長手方向の施錠孔と接続する、プランジャー孔と、
ｉｖ．該ロックボタンの該第１の端部と該第２の端部との間の該ロックボタンの該表面に形成され、該プランジャー孔に接続されたプランジャーチャンネルと
を備えるロックボタンと、
Ｂ．戻り止めプランジャーと、
Ｃ．該戻り止めプランジャーにバイアスをかけて、該戻り止めプランジャーを該ロックボタンに向かって移動させて、該戻り止めプランジャーが該プランジャー孔および該プランジャーチャンネルと相互作用する位置まで移動させるように位置決めされたバネと、
Ｄ．該ロックボタンの該施錠孔の該雌側受入端部に挿入されるようにされた鍵であって、該雌側受入端部に挿入されたときに該プランジャー孔と相互作用するように適合された鍵と
を備え、
該ロックボタンは、施錠解除位置と施錠確定位置との間で回転可能であり、該施錠解除位置では該ロックボタンが該撃針の移動を可能にし、該施錠確定位置では該ロックボタンが該撃針の移動を防止し、
該撃針はノッチを有しており、該撃針のノッチは、該ロックボタンが該施錠確定位置にある場合には該ロックボタンと係合することによって該撃針の移動を防止するように構成されており、該ロックボタンのノッチは、該ロックボタンが該施錠解除位置にある場合には該撃針の移動を可能にするように構成されている、撃針および施錠機構を有する火器。
【請求項２０】
前記戻り止めプランジャーは、前記ロックボタンを保持し、該ロックボタンの回転移動を規定および制限するように、前記プランジャーチャンネルと相互作用する、請求項１９に記載の施錠機構を有する火器。
【請求項２１】
前記鍵は、実質的に湾曲した断面構成を有する、請求項１９に記載の施錠機構を有する火器。
【請求項２２】
前記ロックボタンは、自身の内部に形成された少なくとも１つの長手方向スロットをさらに備え、前記撃針は、該撃針が移動するのを防止するために、該少なくとも１つのスロットと相互作用するように適合されたタブをさらに備える、請求項１９に記載の火器。
【請求項２３】
前記ロックボタンは、２つの平行な長手方向スロットを備え、前記撃針は、該撃針が移動するのを防止するために、該スロットのいずれかと相互作用するように適合されたタブをさらに備える、請求項２２に記載の火器。
【発明の詳細な説明】
【０００１】
（発明の背景）
本発明は概して、火器において用いられる施錠機構に関し、より詳細には、火器の撃針をブロックするロックに関する。本発明は特に、手動式の遊底のある火器の撃針をブロックする用途に有用である。本発明を用いれば、火器の種類に関わらず、火器を安全を保管して不正使用を検出するさらなる手段が得られる。
【０００２】
（発明の要旨）
本発明の施錠機構の様々な実施形態は、撃針が移動するのを防ぐように活性化させることが可能なロックを提供することにより、火器の不正使用を抑止する効果を持つ一体型デバイスを提供する。
【０００３】
詳細には、本発明は、撃針および施錠機構を有する火器を提供する。上記火器は、以下の構成要素を含む：ロックボタンであって、上記ロックボタンは、上記ロックボタンが上記撃針を移動させるのを可能にする施錠解除位置と、上記ロックボタンによって上記撃針の移動を防ぐ施錠確定位置との間で回転可能であり、上記ロックボタンは、長手方向の軸と、表面と、第１の端部および第２の端部とに加えて；ｉ．上記ボタンの長手方向の軸に沿って形成され、上記ボタンの第１の端部内に形成された雌側受入端部を含む施錠孔と；ｉｉ．上記ボタンの第１の端部と第２の端部との間のボタン表面内に形成されたノッチと；ｉｉｉ．上記ボタンの第１の端部と第２の端部との間のボタン表面内に形成されたプランジャー孔。上記施錠機構は、戻り止めプランジャーおよび上記安全ボタンの施錠孔の雌側受入端部に挿入される施錠手段をさらに含み、上記プランジャー孔は上記施錠孔に接続され、上記撃針は、自身の内部に形成されたノッチを有し、上記ノッチは、上記ロックボタンのノッチと相互作用するように位置決めおよび構成される。
【０００４】
本発明はまた、ボルトアセンブリを有する手動式の遊底のある火器も提供する。上記ボルトアセンブリは、中空のボルト本体と、ボルトハンドルと、ボルトプラグと、上記ボルト本体内の撃針および撃針バネと、施錠機構とを含む。上記施錠機構は、長手方向の軸と、表面と、第１の端部および第２の端部とを有するロックボタンを含む。上記施錠機構はまた、以下の構成要素も含む。すなわち；ｉ．上記ボタンの長手方向の軸に沿って形成された施錠孔と、上記ボタンの第１の端部内に形成された雌側受入端部と；ｉｉ．上記ボタンの第１の端部と第２の端部との間のボタン表面内に形成されたノッチと；ｉｉｉ．上記ボタンの第１の端部と第２の端部との間のボタン表面内に形成され、上記施錠孔に接続されたプランジャー孔。上記施錠機構は、戻り止めプランジャーと、上記安全ボタンの施錠孔の雌側受入端部に挿入される施錠手段とをさらに含み、上記ロックボタンは、施錠確定位置と施錠解除位置との間で移動可能である。上記撃針は、自身の内部に形成されたノッチを有し、上記ノッチは、上記ロックボタンが上記施錠解除位置に来た場合に上記撃針の移動を可能にし、上記ロックボタンが上記施錠確定位置にきたときに上記撃針の移動を防ぐように、上記ロックボタンのノッチと相互作用するように位置決めおよび構成される。
【０００５】
加えて、本発明は、撃針および施錠機構を有する火器を提供する。上記火器は、以下を含む。すなわち：Ａ．長手方向の軸と、表面と、第１の端部および第２の端部とを有するロックボタンであって、ｉ．上記ボタンの長手方向の軸に沿って形成され、上記ボタンの第１の端部内に形成された雌側受入端部を含む施錠孔と、；ｉｉ．上記ボタンの第１の端部と第２の端部との間のボタン表面内に形成されたノッチと；ｉｉｉ．上記ボタンの第１の端部と第２の端部との間のボタン表面内に形成されたプランジャー孔であって、上記ボタンの長手方向の軸を実質的に横軸方向の上記ボタンの中心軸に向かって伸び、上記実質的に長手方向の施錠孔と接続するプランジャー孔と；ｉｖ．上記ボタンの第１の端部と第２の端部との間の表面内に形成され、上記プランジャー孔に接続されたプランジャーチャンネルと、を含むロックボタンと、；Ｂ．戻り止めプランジャーと；Ｃ．上記戻り止めプランジャーにバイアスをかけて上記戻り止めプランジャーを上記ロックボタンに向かって移動させ、上記戻り止めプランジャーが上記プランジャー孔および上記プランジャーチャンネルと相互作用する位置まで移動させるような位置に配置されたバネと；Ｄ．上記ボタンの施錠孔の雌側受入端部に挿入されるように適合された鍵。上記鍵は、上記雌側受入端部に挿入されたときに上記プランジャー孔と相互作用するように適合され；上記撃針は、自身の内部に形成されたノッチを有し、上記ノッチは、上記ロックボタンのノッチと相互作用するように適合される、鍵と、を含む。
【０００６】
（発明の詳細な説明）
図面を参照すれば、本発明のより深い理解が得られる。本明細書の図面は、本発明の施錠機構の好適な一実施形態を示す。当業者にとって明らかであるように、本発明の原理から逸脱することなく本実施形態の改変例および変更例を代替として用いることが可能である。
【０００７】
図面に示す施錠機構は、本発明の好適な一実施形態であり、手動式の遊底のある火器における用途用に適合されている。この実施形態は、当業者にとって明らかであるように、様々な手動式の遊底のある火器における用途用に適合可能である。図面に示すように、本発明の施錠機構の好適な実施形態は、特定の種類のボルトアセンブリを有する火器との用途に適合されているが、本発明は、このような種類のボルトアセンブリに限定されない。
【０００８】
図面中、火器（図示せず）は、ボルトアセンブリ１０を含む。多くの場合と同様に、このボルトアセンブリ１０は、火器の受入器２内にスライド可能な状態で取り付けられ、また、受入器から取外し可能である。このようなボルトアセンブリの多くの場合と同様に、図面に示すボルトアセンブリも回転可能であり、典型的には、ボルトアセンブリは、閉口位置に来ると、閉口位置から閉口かつ施錠確定の位置（ｃｌｏｓｅｄ  ａｎｄ  ｌｏｃｋｅｄ  ｐｏｓｉｔｉｏｎ）に回転することができる。閉口かつ施錠確定の位置に来ると、火器は、薬室（図示せず）内の１回分の弾薬を発砲する態勢となる。
【０００９】
ボルトアセンブリ１０は、ボルト本体１１と、ボルト本体１１に取り付けられたボルトハンドル（図示せず）とを含み、これにより、ボルトアセンブリの回転およびボルトアセンブリのスライドを行う手段を提供する。ボルトハンドルは典型的には、ボルトアセンブリの一部（好適には、ボルト本体）に取り付けられる。撃針１３は、ボルト本体内において移動することができ、撃針バネ（図示せず）によって前進する。撃針の後側にある撃針ヘッド１３Ａは、発砲制御機構または引き金アセンブリと相互作用するように適合され、これにより、撃針を撃針バネに押し付けることにより撃針を撃発態勢にし、引き金が引かれたときに撃針の解放を可能にするようにする。撃針および撃針バネは、ボルトプラグ１５によってボルト本体内に保持される。ボルトプラグ１５は中空の円筒であり、その前方端部は開口しており、この前方端部においてボルトプラグ１５はボルト本体と接続し、そのその後方端部は閉口している。
【００１０】
ボルトプラグは、撃針および撃針バネをボルト本体内に保持するための典型的手段であるが、これらの構成要素を保持するための他の手段を用いることも可能である。図面に示すボルトプラグはボルトアセンブリに対してスライドするが、ボルト本体およびボルトハンドルとは回転しない。回転するボルトプラグを有する本発明の他の実施形態も、本発明に従って用いることが可能である。
【００１１】
ボルトプラグはボルト本体を通過し、スロット１５Ａをさらに含む。このスロット１５Ａは、撃針ヘッドの長手方向の移動を可能にするように適合される。当業者にとって明らかな様々な他の手段を用いて、ボルトプラグをボルト本体に取り付けることが可能である。
【００１２】
図面に示す本発明の施錠機構の実施形態は、撃針の後方部分と相互作用するようになっているため、ボルトアセンブリの後方のボルトプラグ中に位置する。孔１５Ｂはボルトプラグ内に形成され、ボルトアセンブリに対して垂直方向に伸び、ボルトプラグの中空内部と接続する。孔１５Ｂは、本発明の施錠機構の挿入に適合される。
【００１３】
図面に示す本発明の施錠機構の実施形態は、ロックボタン２０と、戻り止めプランジャー３０と、戻り止めプランジャーバネ４０と、施錠手段または鍵５０とを含む。
【００１４】
ロックボタン２０は、施錠孔２１を有する。この施錠孔２１は、ボタンの実質的に長手方向の軸に沿って形成され、ボタンの一方の端部内に形成された雌側受入手段２１Ａを有する。施錠孔はプランジャー孔２２に接続する。プランジャー孔２２は、ボタンの２つの端部間に形成され、ボタンの長手方向の軸方向に実質的に横軸方向にボタンの中心に向かって伸びる。ボタンの中心において、ボタンは施錠孔に接続する。このプランジャー孔２２は、実質的に横軸方向のプランジャーチャンネル２３に接続する。図示の実施形態におけるプランジャーチャンネル２３は、円周方向に延び、ボタン表面内に形成される。プランジャーチャンネルと戻り止めプランジャーとの間の相互作用により、ボタンが施錠確定位置と施錠解除位置との間で回転移動するのを先導および制限することができる。
【００１５】
ロックボタンは、その表面内に形成されたノッチ２４も有する。このノッチ２４は、ボタンの２つの端部の間に設けられる。ノッチ２４は、ボタンが施錠解除位置に来たときに撃針１３が移動するのを可能にし、ボタンが施錠確定位置に来たときに撃針が移動しないようにするようになっている。撃針１３は、その内部に形成されたノッチ１３Ｂを有する。このノッチ１３Ｂは、ロックボタンのノッチ２４と相互作用するように位置決めされる。撃針は典型的には回転しないため、撃針ノッチが撃針と共に長手方向に移動するだけである。図中に示す実施形態において、撃針ノッチは常時上方を向き、ロックボタンが施錠解除位置に来ると、これらのノッチのアラインメントがとられ、これにより、ボタンのいかなる部分との干渉を招くことなく撃針を移動させることが可能となる。ボタンが回転して施錠確定位置に来ると、ノッチ２４は、撃針および撃針ノッチとのアライメントから離れて回転し、これにより、ロックボタンは撃針ノッチと相互作用して、撃針が長手方向に移動するのを防ぐ。
【００１６】
図中に示すような本発明の好適な実施形態において、ロックボタンは、２つの平行なスロット２５および２６をさらに含む。これらのスロット２５および２６は、ボタン表面内に形成され、ボタンの長手方向の軸に沿って方向付けられる。このような実施形態において、撃針は、ノッチ１３Ｂに隣接して形成されたタブ１３Ｃをさらに含む。タブ１３Ｃは、これらのスロットのいずれかと相互作用するように適合され、これにより撃針が移動するのを防ぎ、撃針が偶発的に解放されるのを防ぐさらなる安全手段として機能する。
【００１７】
戻り止めプランジャーがプランジャー孔中にある場合、ロックボタンは施錠確定位置にあり、この位置において、プランジャーの一部分が、プランジャー孔を通って施錠孔中に伸びる。戻り止めプランジャーがプランジャー孔中にある場合、ロックボタンは引き金が活性化されるのを防がないが、撃針が前方移動して１回分の弾薬を発射するのはブロックし、これにより火器の発砲を防ぐ。
【００１８】
ボタンは、施錠確定位置にある場合、以下の作業を行なわない限り、施錠解除位置に回転させることはできない。すなわち、施錠手段を施錠孔に挿入して、施錠手段を、施錠手段が戻り止めプランジャーと接触して戻り止めプランジャーをロックボタンから戻すことにより、戻り止めプランジャーをプランジャー孔内から取り外し、ロックボタンの回転を可能にして、このボタンが回転するのと共に戻り止めプランジャーがプランジャーチャンネルと相互作用するような位置まで移動させること。
【００１９】
撃針の移動を防ぐことにより火器の使用を防ぐことに加えて、本施錠機構は、ロックボタンが施錠確定位置まで回転した場合、ボルトアセンブリが撃発態勢になるのも防ぐ。例えば、ロックボタンが施錠確定位置まで回転して撃針の移動を防ぐ場合、ボルトアセンブリを回転させて撃針を撃発態勢にすることはできない。なぜならば、撃針はボルト本体に対して移動できないため、火器を撃発態勢にすることは不可能であるからである。ボルトが開口位置にある場合、施錠機構を用いて火器をロックするのが好ましく、そうすると、上述したようにボルトを閉口させることができなくなり、また、火器を撃発態勢にすることもできなくなる。
【００２０】
ボルトが閉口位置にある場合、本発明の施錠機構を用いて、手動式の遊底のある火器の撃針をロックすることも可能である。撃針は、閉口位置に来た場合、撃発態勢になり、撃針ヘッドと逆鉤（図示せず）との間の相互作用により、所定位置に保持されることが多い。この逆鉤は、引き金アセンブリ／発砲制御の一構成要素である。ロックボタンが回転して施錠確定位置に来ると、このボタンにより、（引き金が引かれて、撃針ヘッドが逆鉤との相互作用から解放された場合にでも）撃針の移動は不可能となる。このような状況下において、ボルトアセンブリが開口不可能となるのは、撃針がボルト本体に対して移動することができないため、（火器の薬室内にそれ以上弾薬が無いと仮定した場合）火器に１回分の弾薬を装填することができないためである。
【００２１】
図示のように、本発明の好適なロックボタン２０は、実質的に円筒の形状である。実質的に円筒の形状は、美観状の理由と、様々な種類の火器に本発明を取り入れる際の容易性との点において好適である。しかし、本施錠機構を用いようとする火器の全体的構成に応じて、他の形状および構成も本発明の範囲内であり、当業者にとって明らかである。
【００２２】
本明細書中に示す鍵５０の実施形態は、施錠孔の雌側受入端部中への挿入に適合された好適な施錠手段を含む。他の施錠手段としては、ワイヤまたはロッドおよびブレードが挙げられる。様々な施錠手段を用いることが可能であるが、好適な施錠手段は鍵である。鍵は、施錠孔中への挿入されるようになっており、孔中に充分な距離を以って伸びて、戻り止めプランジャーがプランジャー孔内に位置決めされたときに戻り止めプランジャー２０と相互作用するように位置決めされる。好適な鍵は、図１および図８〜１０に示すような面取りされた（ｂｅｖｅｌｅｄ）先端部を有する。この面取りされた先端部は、鍵が完全に施錠孔に挿入されたときに戻り止めプランジャーと相互作用するようになっており、これにより、プランジャーがロックボタンから離れてプランジャー孔から外れ、安全ボタンが回転して施錠確定位置から施錠解除位置へと移動することが可能になる。
【００２３】
鍵は、様々なハンドル（例えば、図８〜１０に示す円筒状のハンドル）を含み得る。
【００２４】
鍵に高い捩れ強さを持たせるだけでなく、鍵の複製を困難にするために肉薄の断面積を持たせるのが好ましい。鍵を肉薄にすると、クリップおよび他の容易に入手可能な物品を用いた施錠機構の「ピッキング」の抑止にもなる。多くの公知の捩れ強さを付与する手段（例えば、適切な材料の使用の選択）を用いることが可能である。加えて、鍵の捩れ強さが強くなるように鍵を構成することも可能である。例えば、湾曲した金属片から鍵を形成することが可能であり、この湾曲により、剛性および捩れ強さを提供する。図示のように、好適な鍵の断面は「ｊ」字型の形状をしており、これは、捩れ強さの高い鍵を提供する１つの方法として示されている。当業者にとって明らかなように、他の断面形状を用いて鍵に捩れ強さを付与することも可能である。
【００２５】
本発明の施錠機構の様々な実施形態は、様々な火器に僅かな改変を加えることにより、適合可能である。
【図面の簡単な説明】
【図１】  図１は、受入器と、分解されたボルトアセンブリと、本発明の施錠機構の一実施形態とを示す火器の作用の分解図である。
【図２】  図２は、本発明のロックボタンの一実施形態を右側から見た側面図である。
【図３】  図３は、図２に示すロックボタンの一実施形態を左側から見た側面図である。
【図４】  図４は、本発明の施錠機構を有する火器において用いることが可能な撃針の側面図である。
【図５】  図５は、図４の撃針および本発明の施錠機構を有する火器と共に用いることが可能な撃針ヘッドの側面図である。
【図６】  図６は、本発明の施錠機構を有する火器において用いることが可能なボルトプラグを右側から見た側面図である。
【図７】  図７は、本発明の施錠機構を有する火器において用いることが可能なボルトプラグを左側から見た側面図である。
【図８】  図８は、本発明の施錠手段の側面図である。
【図９】  図９は、図８の施錠手段の上面図である。
【図１０】  図１０は、図８の施錠手段の前面図である。
【図１】
0003662883.tif 000002
【図２】
0003662883.tif 000003
【図３】
0003662883.tif 000004
【図４】
0003662883.tif 000005
【図５】
0003662883.tif 000006
【図６】
0003662883.tif 000007
【図７】
0003662883.tif 000008
【図８】
0003662883.tif 000009
【図９】
0003662883.tif 000010
【図１０】
0003662883.tif 000011